(57)【要約】【課題】プラント設計における上流設計および下流設計間の確度を管理する。【解決手段】実施形態のデータ管理装置１ａは、上流設計図書２から上流設計図書情報を入力して管理する上流設計情報管理部１１と、上流設計図書情報を上流設計情報管理部１１から抽出する上流設計情報抽出部１２と、制御設計情報４を入力して管理する制御設計情報管理部１３と、制御設計図書作成情報を生成する制御設計図書作成部１４と、上流設計図書情報および制御設計図書作成情報に基づいて下流設計図書作成情報を生成する下流設計情報部１５と、下流設計図書３に影響を与える要素を示す上流下流間設計情報を管理する上流下流間設計情報管理部１０ａと、を備えている。【選択図】図１
2015032121.tif 000002
【特許請求の範囲】
【請求項１】
プラント設計に使用される複数の図書を管理するデータ管理装置であって、
前記プラント設計における設計対象プラントの制御設計図書および下流設計図書を作成するために上流設計図書から上流設計図書情報を入力し、入力した当該上流設計図書情報を管理する上流設計情報管理部と、
前記設計対象プラントについての前記上流設計図書情報を前記上流設計情報管理部から抽出する上流設計情報抽出部と、
前記設計対象プラントについての前記制御設計図書を構成する要素に含まれる制御設計情報を入力し、入力した当該制御設計情報を管理する制御設計情報管理部と、
前記上流設計図書情報および前記制御設計情報の少なくともいずれか一方に基づいて、前記制御設計図書を構成する要素に含まれる制御設計図書作成情報を生成する制御設計図書作成部と、
前記上流設計図書情報および前記制御設計図書作成情報に基づいて、前記下流設計図書を構成する要素に含まれる下流設計図書作成情報を生成する下流設計情報部と、
前記上流設計図書情報および前記制御設計情報に基づいて、前記下流設計図書に影響を与える要素を示す上流下流間設計情報を管理する上流下流間設計情報管理部と、を備える
ことを特徴とするデータ管理装置。
【請求項２】
前記上流下流間設計情報管理部は、
前記制御設計図書作成情報と前記下流設計図書作成情報とを対応付け、当該対応付けた前記制御設計図書作成情報と前記下流設計図書作成情報とを用いて、前記制御設計図書作成情報が前記制御設計図書に反映された場合に、前記制御設計図書のうちの少なくともいずれか一つの項目における確度に依存して対応する前記下流設計図書の変更箇所の有無を判断し、当該変更箇所を抽出する変更物量管理部を有する
ことを特徴とする請求項１に記載のデータ管理装置。
【請求項３】
前記上流下流間設計情報管理部は、
前記下流設計図書のシート単位の作業工数を予め設定し、前記変更物量管理部により抽出された前記変更箇所に基づいて、前記作業工数についてのエンジニアリング費を算出するエンジニアリング費算出部をさらに有する
ことを特徴とする請求項２に記載のデータ管理装置。
【請求項４】
前記上流設計情報抽出部は、さらに、前記上流設計図書情報に関連する設計指標を含むインプット状況を入力し、入力した当該インプット状況を記録し、
前記上流下流間設計情報管理部は、
前記インプット状況および前記上流設計図書情報を用い、所定の変換規則に基づいて前記設計指標の各々を数値に変換し、変換した当該数値から前記上流設計図書に対する確度算出値を求める確度算出部を有する
ことを特徴とする請求項１ないし請求項３のいずれか一項に記載のデータ管理装置。
【請求項５】
前記上流下流間設計情報管理部は、
前記設計対象プラントの上流設計情報と、設計の参考とする１以上のリファレンスプラントの上流設計情報および制御設計情報の少なくともいずれか一方とを用いて、特定のプラントに依存しない機器個別の認識番号を前記設計対象プラントおよび前記リファレンスプラントに付与し、付与した当該認識番号を管理するリファレンスプラント情報部を有する
ことを特徴とする請求項１に記載のデータ管理装置。
【請求項６】
前記上流下流間設計情報管理部は、
前記プラント設計に関する製品情報と、前記プラント設計について所定の検査基準に定められた項目および当該項目に関連する基準値を含む製品判定情報とを管理し、前記製品判定情報に基づいて、管理する前記製品情報に含まれる製品について前記所定の検査基準を判定し、当該判定した結果を出力する製品情報管理部を有する
ことを特徴とする請求項１ないし請求項５のいずれか一項に記載のデータ管理装置。
【請求項７】
プラント設計に使用される複数の図書を管理するデータ管理装置に用いられるデータ管理方法であって、
前記データ管理装置が、前記プラント設計における設計対象プラントの制御設計図書および下流設計図書を作成するために上流設計図書から上流設計図書情報を入力して管理する上流設計情報管理ステップと、
前記データ管理装置が、前記設計対象プラントについての前記上流設計図書情報を抽出する上流設計情報抽出ステップと、
前記データ管理装置が、前記設計対象プラントについての前記制御設計図書を構成する要素に含まれる制御設計情報を入力して管理する制御設計情報管理ステップと、
前記データ管理装置が、前記上流設計図書情報および前記制御設計情報に基づいて前記制御設計図書を構成する要素に含まれる制御設計図書作成情報を生成する制御設計図書作成ステップと、
前記データ管理装置が、前記上流設計図書情報および前記制御設計図書作成情報に基づいて前記下流設計図書を構成する要素に含まれる下流設計図書作成情報を生成する下流設計図書作成ステップと、
前記データ管理装置が、前記上流設計図書情報および前記制御設計情報に基づいて前記下流設計図書に影響を与える要素を示す上流下流間設計情報を管理する上流下流間設計情報管理ステップと、を含む
ことを特徴とするデータ管理方法。
【発明の詳細な説明】
【技術分野】
【０００１】
本発明の実施形態は、プラント設計に使用される図書を管理するデータ管理装置およびデータ管理方法に関する。
【背景技術】
【０００２】
原子力発電所をはじめとする大規模なプラントの設計・建設にあたっては、プラントに対してコンセプトや要求仕様を示す上流設計の図書に基づいて、詳細な機器配置や電気計装を示す下流設計の図書を作成する。この作成した下流設計の図書に基づいて、現場機器の組み立て・配置等を行う。この下流設計は、複数の上流設計の図書に基づいて作成されることが一般的であり、さらに設計の後戻り等を防ぐために上流設計の進捗状況や完成度に応じて下流設計を進める必要がある。
【０００３】
なお、プラント総合エンジニアリング支援システムにおいて、プラントの見積もり作業、受注ネゴ、調達・購入、技術検討、機器設計と選定の先行設計、建設・土木工事、機器据付工事、配管工事、計装工事、電気設備工事、試験・調整、試運転、試験記録出力、総合運転を実施するエンジニアリング、総合エンジニアリング情報のデータベースの構築を支援することが知られている（例えば、特許文献１参照）。
【先行技術文献】
【特許文献】
【０００４】
【特許文献１】特開２００８−８４０５１号公報
【発明の概要】
【発明が解決しようとする課題】
【０００５】
従来は、この上流設計の進捗確認と下流設計の作成計画を人間系（人手による作業）で行っており、作業コストの増大や進捗確認見落しを招くおそれがあった。
【０００６】
前述した技術等のプラント総合エンジニアリング支援システムは、上流設計から下流フィールドセクションに設計・工事情報を受け渡すシステムであり、上流設計と下流設計間の設計セクションのエンジニアリング手法についての開示はない。そのため、複数の上流設計図書の進捗状況や完成度といった確度を管理するデータ管理装置が望まれていた。
【０００７】
本発明の実施形態が解決しようとする課題は、プラント設計における上流設計および下流設計間の確度を管理することができるデータ管理装置およびデータ管理方法を提供することである。
【課題を解決するための手段】
【０００８】
上記課題を解決するために、実施形態のデータ管理装置は、プラント設計に使用される複数の図書を管理するデータ管理装置である。当該データ管理装置は、前記プラント設計における設計対象プラントの制御設計図書および下流設計図書を作成するために上流設計図書から上流設計図書情報を入力し、入力した当該上流設計図書情報を管理する上流設計情報管理部と、前記設計対象プラントについての前記上流設計図書情報を前記上流設計情報管理部から抽出する上流設計情報抽出部と、前記設計対象プラントについての前記制御設計図書を構成する要素に含まれる制御設計情報を入力し、入力した当該制御設計情報を管理する制御設計情報管理部と、前記上流設計図書情報および前記制御設計情報の少なくともいずれか一方に基づいて、前記制御設計図書を構成する要素に含まれる制御設計図書作成情報を生成する制御設計図書作成部と、前記上流設計図書情報および前記制御設計図書作成情報に基づいて、前記下流設計図書を構成する要素に含まれる下流設計図書作成情報を生成する下流設計情報部と、前記上流設計図書情報および前記制御設計情報に基づいて、前記下流設計図書に影響を与える要素を示す上流下流間設計情報を管理する上流下流間設計情報管理部と、を備えることを特徴とする。
【０００９】
また、上記課題を解決するために、実施形態のデータ管理方法は、プラント設計に使用される複数の図書を管理するデータ管理装置に用いられるデータ管理方法である。当該データ管理方法は、前記データ管理装置が、前記プラント設計における設計対象プラントの制御設計図書および下流設計図書を作成するために上流設計図書から上流設計図書情報を入力して管理する上流設計情報管理ステップと、前記データ管理装置が、前記設計対象プラントについての前記上流設計図書情報を抽出する上流設計情報抽出ステップと、前記データ管理装置が、前記設計対象プラントについての前記制御設計図書を構成する要素に含まれる制御設計情報を入力して管理する制御設計情報管理ステップと、前記データ管理装置が、前記上流設計図書情報および前記制御設計情報に基づいて前記制御設計図書を構成する要素に含まれる制御設計図書作成情報を生成する制御設計図書作成ステップと、前記データ管理装置が、前記上流設計図書情報および前記制御設計図書作成情報に基づいて前記下流設計図書を構成する要素に含まれる下流設計図書作成情報を生成する下流設計図書作成ステップと、前記データ管理装置が、前記上流設計図書情報および前記制御設計情報に基づいて前記下流設計図書に影響を与える要素を示す上流下流間設計情報を管理する上流下流間設計情報管理ステップと、を含むことを特徴とする。
【発明の効果】
【００１０】
本実施形態に係るデータ管理装置およびデータ管理方法によれば、プラント設計における上流設計および下流設計間の確度を管理することができる。
【図面の簡単な説明】
【００１１】
【図１】第１の実施形態に係るデータ管理装置の構成を示すブロック図。
【図２】変更物量管理部が用いる変更物量対応表の一例を示す図。
【図３】図１のデータ管理装置に用いられるデータ管理処理フローを示すフロー図。
【図４】第２の実施形態に係るデータ管理装置の構成を示すブロック図。
【図５】エンジニアリング費算出部が用いるエンジニアリング費算出表の一例を示す図。
【図６】第３の実施形態に係るデータ管理装置の構成を示すブロック図。
【図７】確度算出部により算出された確度算出表の一例を示す図。
【図８】第４の実施形態に係るデータ管理装置の構成を示すブロック図。
【図９】ＵＩＤ付番表の一例を示す図。
【図１０】ＵＩＤ対応プラント情報表の一例を示す図。
【図１１】第５の実施形態に係るデータ管理装置の構成を示すブロック図。
【図１２】製品情報管理部が用いる判定対応表の一例を示す図。
【発明を実施するための形態】
【００１２】
以下、本発明の実施形態に係るデータ管理装置およびデータ管理方法について、図面を参照して具体的に説明する。ここで、互いに同一または類似の部分には共通の符号を付して、重複する説明は省略する。ここで説明する下記の実施形態はいずれも、発電所などのプラント設計に用いられるデータ管理装置の一例をとりあげて説明する。
【００１３】
［第１の実施形態］
図１は、第１の実施形態に係るデータ管理装置の構成を示すブロック図である。以下、この他にも、図２および図３も参照しながら図１に示す第１の実施形態のデータ管理装置について説明する。
【００１４】
第１の実施形態のデータ管理装置１ａは、プラント設計に使用される複数の図書を管理する。また、データ管理装置１ａは、プラント設計における上流設計および下流設計間の確度を管理する。確度は、例えば上流設計の進捗度や、設計変更などによる影響度による設計完成度の指標である。
【００１５】
このために、データ管理装置１ａは、図１に示すように、上流設計情報管理部１１、上流設計情報抽出部１２、制御設計情報管理部１３、制御設計図書作成部１４、下流設計情報部１５および上流下流間設計情報管理部１０ａを備えている。さらに、上流下流間設計情報管理部１０ａは、変更物量管理部１７を有している。
【００１６】
上流設計情報管理部１１には、設計対象プラントごとに上流設計図書２についての上流設計図書情報が入力される。上流設計情報管理部１１は、入力された上流設計図書情報を設計対象プラントごとに管理する。なお、以降では、「管理」を、情報についての記憶、更新、削除、検索、出力等を含む意味で用いるものとする。
【００１７】
上流設計図書２は、設計対象プラントについて、例えばプラントにおける系統番号、機器種別、機器番号などの機器リストを表として含む。この上流設計図書２は、下流設計図書３および制御設計図書５を作成するために必要な図書である。
【００１８】
制御設計図書５は、例えば機器の制御シーケンスの各条件をロジックの繋がりで表した図（以降、インターロック図）を作成するために必要な図書である。さらに、この制御設計図書５は、下流設計図書３を作成するために必要な図書である。下流設計図書３は、例えば制御品全体の接続を表す図書（以降、制御展開図）、コントローラのソフトウェアロジックを表す図書（以降、ソフト図）などである。
【００１９】
なお、上流設計情報には、上流設計図書２に関する上流設計図書情報が含まれる。上流設計情報には、上流設計図書情報以外の上流設計に関する情報を含んでもよい。また、制御設計情報には、制御設計図書５に関する制御設計図書情報が含まれる。制御設計情報には、制御設計図書情報以外の制御設計に関する情報を含んでもよい。
【００２０】
上流設計情報抽出部１２は、上流設計情報管理部１１に対して、上流設計情報管理部１１に記憶されている上流設計図書情報から設計対象プラントについての検索要求を送る。上流設計情報管理部１１は、設計対象プラントについての上流設計図書情報をメモリ（図示しない）から検索する。上流設計情報抽出部１２は、検索された上流設計図書情報を上流設計情報管理部１１から抽出する。
【００２１】
上流設計情報抽出部１２は、例えば設計対象プラントの系統を構成する機器、これらを結ぶ配管、弁、計装品を図面等に表したもの（以降、配管計装図）の情報を含む上流設計図書情報を上流設計情報管理部１１から抽出する。
【００２２】
この他にも、例えば制御設計担当により予め登録された制御設計に必要な上流設計図書情報が上流設計情報管理部１１に記憶されている場合に、上流設計情報抽出部１２は、これらの制御設計に必要な上流設計図書情報を抽出する。制御設計に必要な上流設計図書情報は、例えば制御設計図書５に含まれる制御設計図を構成する系統や機器であり、複数の上流設計図書２と情報が重複するような場合も含む。
【００２３】
上流設計情報抽出部１２は、以上のように抽出した上流設計図書情報を制御設計図書作成部１４へ出力する。
【００２４】
制御設計情報管理部１３には、例えば制御設計担当により制御設計図書５の作成に必要な要素である制御設計情報４が入力される。制御設計情報管理部１３は、入力された制御設計情報４を設計対象プラントごとに管理する。制御設計情報管理部１３は、設計対象プラントに応じた制御設計情報４を制御設計図書作成部１４へ出力する。制御設計情報４は、例えば下流設計図書３に記載される遮断器の制御回路や、コントローラのロジックに影響を与える自己保持回路の有無などを含む。
【００２５】
制御設計図書作成部１４は、上流設計情報抽出部１２から抽出された上流設計図書情報を入力する。また、制御設計図書作成部１４は、制御設計情報管理部１３から抽出された制御設計情報４を入力する。
【００２６】
制御設計図書作成部１４は、入力された上流設計図書情報および制御設計情報４を用いて、制御設計図書５の作成に関する制御設計図書作成情報を生成する。制御設計図書作成情報には、例えば制御設計図書５のシート情報が含まれる。なお、制御設計図書作成情報は、作成予定または作成中である制御設計図書５に関する制御設計図書情報であるため、プラント設計が完成した制御設計図書５についての制御設計図書情報と区別して記すものとする。
【００２７】
制御設計図書作成部１４は、この制御設計図書作成情報を作成中または作成予定の制御設計図書５として出力する。また、制御設計図書作成部１４は、この制御設計図書５のシート情報を変更物量管理部１７へ出力する。制御設計図書作成部１４は、生成した制御設計図書作成情報と上流設計図書情報とを下流設計情報部１５へ出力する。
【００２８】
シート情報は、図書に含まれる１または複数のシートに記載されている情報である。例えば、1シートが図面１枚に対応する。
【００２９】
下流設計情報部１５は、制御設計図書作成部１４より上流設計図書情報および制御設計図書作成情報を入力する。下流設計情報部１５は、入力された上流設計図書情報および制御設計図書作成情報に基づいて、下流設計図書３の作成に関する下流設計図書作成情報を生成する。下流設計図書作成情報には、例えば下流設計図書３のシート情報が含まれる。
【００３０】
なお、下流設計情報には、下流設計図書３に関する下流設計図書情報（下流設計図書作成情報）が含まれる。下流設計情報には、下流設計図書情報以外の下流設計に関する情報を含んでもよい。また、なお、下流設計図書作成情報は、作成予定または作成中である下流設計図書３に関する下流設計図書情報であるため、プラント設計が完成した下流設計図書３についての下流設計図書情報と区別して記すものとする。
【００３１】
下流設計情報部１５は、この下流設計図書作成情報を作成中または作成予定の下流設計図書３として出力する。また、下流設計情報部１５は、この下流設計図書３のシート情報を上流下流間設計情報管理部１０ａの変更物量管理部１７へ出力する。
【００３２】
上流下流間設計情報管理部１０ａは、上流設計図書情報および制御設計情報の少なくとも一方に基づいて、下流設計図書３に影響する上流下流間設計情報を管理する。このために、上流下流間設計情報管理部１０ａは、変更物量管理部１７を有する。
【００３３】
上流下流間設計情報は、例えば上流設計の変更による下流設計の影響度、上流設計の確度（設計の進捗度や、完成度など）、下流設計図書３に影響を与える要素を示す情報である。
【００３４】
変更物量管理部１７は、制御設計図書作成情報と下流設計図書作成情報とを対応付ける。制御設計図書作成情報が制御設計図書５に反映された場合に、変更物量管理部１７は、当該対応付けた制御設計図書作成情報と下流設計図書作成情報とを用いて、制御設計図書５の少なくともいずれか一つの項目における確度に依存して対応する下流設計図書３の変更箇所の有無を判断する。変更物量管理部１７は、下流設計図書３の変更箇所が有ると判断した場合に、当該変更箇所を抽出する。
【００３５】
具体的には、変更物量管理部１７は、制御設計図書作成部１４から制御設計図書５のシート情報を入力する。また、変更物量管理部１７は、下流設計情報部１５から下流設計図書３のシート情報を入力する。変更物量管理部１７は、入力した制御設計図書５のシート情報および下流設計図書３のシート情報に基づいて、制御設計図書作成情報と下流設計図書作成情報とを対応付ける。変更物量管理部１７は、制御設計図書作成情報と下流設計図書作成情報との対応付けに基づいて、上流設計の変更による下流設計の影響度を示す変更物量対応表（テーブル）２２１に格納する。変更物量管理部１７は、上流設計図書２の変更に応じて、適宜、変更物量対応表２２１を出力する。
【００３６】
図２に、変更物量管理部１７が用いる変更物量対応表２２１の一例を示す。
【００３７】
インターロック図に含まれるシートを構成する上流設計図書情報および制御設計図書情報が、例えば図２に示すように、シートを構成するシート情報として一覧の形式にまとめられる。このような場合に、これらの情報を反映している下流設計図書３に含まれる制御展開図およびソフト図の分冊符号と、シート番号とが対応付けられた関係が変更物量対応表２２１に含まれる。
【００３８】
具体的には、図２に示す変更物量対応表２２１の表中で、インターロック図に含まれるシートに記載されている上流設計図書情報に含まれる機器名称「Ｂ装置バイパス弁」を反映している下流設計図書３は、制御展開図の分冊ＡＡではシート番号「５」と「３５」、ソフト図の分冊ＡＡ１ではシート番号「６」と「７５」と「７６」、同じく分冊ＡＡ２ではシート番号「１４５」であることを示す。
【００３９】
これにより、変更物量管理部１７は、変更物量対応表２２１に基づいて、計６枚の下流設計図書３に「Ｂ装置バイパス弁」が反映されていることを判断することができる。同様に、変更物量管理部１７は、変更物量対応表２２１に基づいて、他の本シートを構成する上流設計図書情報などについても反映されている下流設計図書３のシート番号を判断することができる。なお、制御設計図書情報を上流設計図書情報に区分してもよい。
【００４０】
以上により、変更物量管理部１７は、設計対象プラントにおける下流設計図書３について、例えばこれらのシートの合計枚数や、シートの変更有無などについてのシート情報を提供することができる。これにより、下流設計図書３の項目について変更物量を容易に把握することができ、事前に上流設計変更時の下流設計への影響を評価することができる。
【００４１】
次に、図３に示すデータ管理装置１ａに用いられるデータ管理処理フローを説明する。図３に示すデータ管理処理フローは、例えばデータ管理装置１ａのパワーオン後、以下のステップＳ１の処理が開始される。
【００４２】
上流設計情報管理部１１が、上流設計図書２から上流設計図書情報を入力して管理する（ステップＳ１）。
【００４３】
上流設計情報抽出部１２が、設計対象プラントについての上流設計図書情報を上流設計情報管理部１１から抽出する（ステップＳ２）。
【００４４】
制御設計情報管理部１３が、設計対象プラントについて制御設計図書５を作成するための制御設計情報４を入力して管理する（ステップＳ３）。
【００４５】
制御設計図書作成部１４が、上流設計図書情報および制御設計情報４に基づいて、制御設計図書５を構成する要素に含まれる制御設計図書作成情報を生成する（ステップＳ４）。
【００４６】
下流設計情報部１５が、上流設計図書情報および制御設計図書作成情報に基づいて、下流設計図書３を構成する要素に含まれる下流設計図書作成情報を生成する（ステップＳ５）。
【００４７】
上流下流間設計情報管理部１０ａが、上流設計図書情報および制御設計情報４に基づいて、下流設計図書３に影響を与える要素を示す上流下流間設計情報を管理する（ステップＳ６）。ステップＳ６の後、データ管理装置１ａは本処理フローを終了する。
【００４８】
なお、図１に示すデータ管理装置１ａの主な機器構成として、例えばＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）、ＨＤＤ（Ｈａｒｄ Ｄｉｓｋ Ｄｒｉｖｅ）、キーボード、マウス、モニタなどを備える構成（コンピュータ）であってもよい。
【００４９】
このような構成の場合には、例えば前述したようなデータ管理処理などを実行するプログラムがデータ管理装置１ａに備えられ、ＣＰＵ、ＲＡＭ等により当該プログラムに従って、データ管理装置１ａの各々の処理部（図１に示す各処理部）における処理を実行することになる。
【００５０】
第１の実施形態によれば、上流設計図書や制御設計図書などを構成する上流設計図書情報と、この上流設計図書情報に基づいて作成された下流設計図書を構成する下流設計図書情報とを対応付けることができる。これにより、上流設計図書や制御設計図書などの項目を変更する際に、下流設計図書の項目について変更物量を容易に把握することができ、事前に上流設計変更時の下流設計への影響を評価することができる。すなわち、プラント設計における上流設計および下流設計間の確度を管理することができる。
【００５１】
［第２の実施形態］
図４は、第２の実施形態に係るデータ管理装置の構成を示すブロック図である。
【００５２】
第２の実施形態のデータ管理装置１ｂは、図４に示すように、上流設計情報管理部１１、上流設計情報抽出部１２、制御設計情報管理部１３、制御設計図書作成部１４、下流設計情報部１５および上流下流間設計情報管理部１０ｂを備えている。さらに、上流下流間設計情報管理部１０ｂは、変更物量管理部１７およびエンジニアリング費算出部１８を有している。
【００５３】
図４に示すデータ管理装置１ｂの構成において、図１に示すデータ管理装置１ａの構成と異なる点は、上流下流間設計情報管理部１０ｂがさらにエンジニアリング費算出部１８を有する点である。
【００５４】
エンジニアリング費算出部１８は、さらに、上流設計の変更による下流設計の影響度から後述するようなエンジニアリング費を算出する。
【００５５】
具体的には、エンジニアリング費算出部１８は、予め登録された見積り条件に基づいて、変更物量管理部１７により抽出される図書の変更物量情報からエンジニアリング費を算出する。見積り条件は、例えば１シート当たりの作業時間、１シート当たりの作業工数などである。
【００５６】
図５に、エンジニアリング費算出部１８が用いるエンジニアリング費算出表２５１の一例を示す。
【００５７】
図２に示した変更物量対応表２２１により算出可能な下流設計図書３の変更物量に対し、さらに、図５に示すように、エンジニアリング費算出部１８が設定された１シート当たりの作業時間「０．５（ｈ）」、１シート当たりの作業工数「Ｙ（円）」を用いて、エンジニアリング費を算出する。
【００５８】
図５に示すエンジニアリング費算出表２５１において、例えば、上流設計情報に含まれる機器名称「Ｂ装置バイパス弁」では、下流設計図書３の変更物量「６（枚）」であり、これに対するエンジニアリング費は「６×０．５×Ｙ（千円）」と乗算される。その他のシートを構成する情報に関する項目についても、同様に算出される。また、制御設計情報４についても同様である。なお、エンジニアリング費算出表２５１では、例えば設計検討しない機器名称などの変更は作業時間を設定しなくてもよい。
【００５９】
エンジニアリング費算出部１８は、さらに、以上のように算出された各項目のエンジニアリング費を合計する。これにより、エンジニアリング費の概算を算出することができる。エンジニアリング費算出部１８は、これらの算出したエンジニアリング費を提示（出力）することができる。
【００６０】
第２の実施形態によれば、データ管理装置が図書の変更物量と作業時間と作業工数とを対応付けることにより、図書変更に伴って発生するエンジニアリング費を算出することができる。これにより、データ管理者等に対してエンジニアリング費を適切に評価するためのデータを提供することができる。
【００６１】
［第３の実施形態］
図６は、第３の実施形態に係るデータ管理装置の構成を示すブロック図である。
【００６２】
第３の実施形態のデータ管理装置１ｃは、設計対象となるプラントについての図書を管理する。このために、データ管理装置１ｃは、図６に示すように、上流設計情報管理部１１、上流設計情報抽出部１２、制御設計情報管理部１３、制御設計図書作成部１４、下流設計情報部１５および上流下流間設計情報管理部１０ｃを備えている。さらに、上流下流間設計情報管理部１０ｃは、確度算出部１６を有している。
【００６３】
図６に示すデータ管理装置１ｃの構成において、図１に示すデータ管理装置１ａの構成と異なる点は、上流下流間設計情報管理部１０ｃが変更物量管理部１７に代えて確度算出部１６を有する点である。
【００６４】
確度算出部１６は、上流設計の確度に基づいて確度を数値化し、下流設計に与える影響度を当該数値化したデータで提供する。
【００６５】
上流設計情報管理部１１には、上流設計図書２に含まれる上流設計図書情報が入力される。上流設計情報管理部１１は、設計対象プラントごとに、入力された上流設計図書情報を記憶する。
【００６６】
上流設計情報抽出部１２は、上流設計図書情報に関連する設計指標を含むインプット状況６を入力し、入力した当該インプット状況を記録する。上流設計情報抽出部１２には、例えばプラントの系統を構成する機器、これらを結ぶ配管、弁、計装品を図面等に表したもの（以降、配管計装図）の情報と共に、例えば配管計装図の情報に関連するインプット状況６が入力される。
【００６７】
インプット状況６は、前述したように、上流設計図書情報に関連する設計指標を含む。具体的には、インプット状況６として、例えば上流設計担当により配管計装図を構成している上流設計情報についての確度、リファレンスプラント（設計の参照とするプラント）、仮設定の有無、未決等が入力される。
【００６８】
上流設計情報抽出部１２は、インプット状況６に応じて、設計対象プラントについて上流設計情報管理部１１に記憶されている上流設計図書情報から抽出する上流設計図書情報を決定する。上流設計情報抽出部１２は、抽出した上流設計図書情報を制御設計図書作成部１４へ出力する。
【００６９】
例えば、上流設計情報抽出部１２は、インプット状況６と共に入力された配管計装図のＣＡＤ（Ｃｏｍｐｕｔｅｒ  Ａｉｄｅｄ  Ｄｅｓｉｇｎ）で用いられる電子データより、上流設計情報に含まれる系統番号、機器名称、機器番号、弁の駆動装置の種類などの情報を抽出する。上流設計情報抽出部１２は、入力されたインプット状況６および抽出した上流設計図書情報を確度算出部１６へ出力する。
【００７０】
確度算出部１６は、上流設計情報抽出部１２より出力されたインプット状況６に含まれる情報について、予め登録された所定の変換規則を基に数値に変換する。さらに、確度算出部１６は、その数値に基づいて、例えばシートを構成する項目の確度について平均値を算出する。
【００７１】
確度算出部１６は、算出した確度についての数値を作成中または作成予定の制御設計図書５のシートおよび分冊単位にまとめ、制御設計図書作成部１４へ出力する。
【００７２】
図７に、確度算出部１６により算出された確度算出表２７１の一例を示す。
【００７３】
１つの制御設計図書５について、制御設計に必要な情報（制御対象の系統、機器名称、機器番号）、およびインプット状況６がリスト化される。
【００７４】
例えば、図７に示す確度算出表２７１のインプット状況６において「確度高」である場合、予め登録された所定の変換規則により当該項目の確度は１００％（パーセント）とされる。また、インプット状況６において「リファレンスプラント」である場合、同じく、当該項目の確度は７０％である。なお、「リファレンスプラント」である場合には、既存のプラントに備えられた機器からの変更が少ないため、「確度高」よりも少し低い％とされている。また、インプット状況６において「仮設定」である場合、変更の可能がある程度高いため、低い％とされている。
【００７５】
確度算出部１６は、前述した各項目の確度からシートの確度を例えば平均値として算出し、当該制御設計図書５に含まれるシートについての確度を数値化して算出することができる。なお、各確度項目の重要度に応じて、所定の重み付けを行ってもよい。
【００７６】
制御設計情報管理部１３には、例えば制御設計担当により制御設計図書５の作成に必要な要素である制御設計情報４が入力される。制御設計情報管理部１３は、入力された制御設計情報４を制御設計図書作成部１４へ出力する。制御設計情報４は、例えば下流設計図書３に記載される遮断器の制御回路や、コントローラのロジックに影響を与える自己保持回路の有無などを含む。
【００７７】
制御設計図書作成部１４は、確度算出部１６により算出された確度、ならびに制御設計情報管理部１３から入力された制御設計情報４を用いて、制御設計図書５の作成に関する制御設計図書作成情報を生成する。
【００７８】
制御設計図書作成部１４は、この制御設計図書作成情報を作成中または作成予定の制御設計図書５として出力する。また、制御設計図書作成部１４は、生成した制御設計図書作成情報と、上流設計情報抽出部１２から入力した上流設計図書情報とを下流設計情報部１５へ出力する。
【００７９】
下流設計情報部１５は、制御設計図書作成部１４から出力された上流設計図書情報および制御設計図書作成情報を用いて、下流設計図書３の作成に関する下流設計図書作成情報を生成する。下流設計情報部１５は、生成した下流設計図書作成情報を作成中または作成予定の下流設計図書３に出力する。
【００８０】
以上の結果、データ管理者は、下流設計図書３の管理において、データ管理装置１ｃを介して、上流設計図書２ならびに制御設計図書５の確度を参照し、設計対象プラントの建設着手可否の判断や工程調整などの管理を効率的に行うことができる。
【００８１】
なお、他の実施形態として、図６に示すデータ管理装置１ｃの構成に、図１に示すデータ管理装置１ａが備える変更物量管理部１７を付加してもよい。その他の実施形態においても、このことは同様である。
【００８２】
第３の実施形態によれば、設計情報の信頼度を数値化した確度を算出することができる。これにより、制御設計図書および下流設計図書の作成作業への着手可否についての判断や工程調整などの管理を効率的に行うことができる。すなわち、プラント設計における上流設計および下流設計間の確度を管理することができる。
【００８３】
［第４の実施形態］
図８は、第４の実施形態に係るデータ管理装置の構成を示すブロック図である。
【００８４】
第４の実施形態のデータ管理装置１ｄは、図８に示すように、上流設計情報管理部１１、上流設計情報抽出部１２、制御設計情報管理部１３、制御設計図書作成部１４、下流設計情報部１５および上流下流間設計情報管理部１０ｄを備えている。さらに、上流下流間設計情報管理部１０ｄは、リファレンスプラント情報部１９を有している。
【００８５】
図８に示すデータ管理装置１ｄの構成において、図１に示すデータ管理装置１ａの構成と異なる点は、上流下流間設計情報管理部１０ｄが変更物量管理部１７に代えてリファレンスプラント情報部１９を有する点である。
【００８６】
リファレンスプラント情報部１９は、上流設計の共通度に係る情報を入力し、入力した上流設計の共通度に係るに基づいて、特定のプラントに依存しない機器番号などを生成する。
【００８７】
前述したように、上流設計情報管理部１１には、上流設計図書情報が入力される。また、上流設計情報管理部１１には、設計対象プラントの機器番号と、上流設計担当者が設計対象プラントの上流設計を行う際に参照したリファレンスプラントの機器番号が入力される。
【００８８】
リファレンスプラント情報部１９は、上流設計情報管理部１１を介して、当該プラントの上流設計情報と、リファレンスプラントの上流設計情報７Ａとを入力する。また、リファレンスプラント情報部１９には、例えばリファレンスプラントの機器番号を基に、制御設計担当よりリファレンスプラントの制御設計情報７Ｂが入力される。
【００８９】
リファレンスプラント情報部１９は、設計対象プラントの上流設計情報と、設計の参考とする１以上のリファレンスプラントの上流設計情報および制御設計情報とを用いて、機器個別の認識番号（機器を一意に特定可能）を設計対象プラントおよびリファレンスプラントに付与し、付与した認識番号を管理する。
【００９０】
具体的には、リファレンスプラント情報部１９は、上流設計情報管理部１１から当該プラントの上流設計情報および１以上のリファレンスプラントの上流設計情報を入力して、同じ機器であるか否かを判断する。リファレンスプラント情報部１９は、当該プラントの機器番号とリファレンスプラントの機器番号に対し、特定のプラントに依存しない機器個別の認識番号を付与（付番）することで対応付ける。リファレンスプラント情報部１９は、対応付けた認識番号をＵＩＤ付番表２８１（図９）に格納する。なお、以降では、認識番号をＵＩＤ（Ｕｎｉｖｅｒｓａｌ  Ｉｄｅｎｔｉｆｉｃａｔｉｏｎ  Ｄａｔａ）とも記す。
【００９１】
また、リファレンスプラント情報部１９は、ＵＩＤ対応プラント情報表２９１（図１０）に上流設計情報および制御設計情報４などを格納する。リファレンスプラント情報部１９は、このＵＩＤ対応プラント情報表２９１に関する情報を制御設計情報管理部１３に出力する。
【００９２】
図９に、ＵＩＤ付番表２８１の一例を示す。
【００９３】
図９のＵＩＤ付番表２８１に示すように、リファレンスプラント情報部１９が、当該プラントの上流設計情報およびリファレンスプラントの上流設計情報を用いて、同じ機器である当該プラントの機器番号とした機器番号Ａ０１−Ｆ００１、および、当該プラントの上流設計を行う際に参考とされたリファレンスプラントＡの機器番号Ａ−ＭＯ−Ｆ０１０などに対して、ＵＩＤのＭＯ−０００１を付番する。
【００９４】
具体的には、ＵＩＤ付番表２８１には、当該プラントの機器番号Ａ０１−Ｆ００１、リファレンスプラントＡの機器番号Ａ−ＭＯ−Ｆ０１０、リファレンスプラントＢの機器番号Ｂ−Ａ０１−Ｆ００１、リファレンスプラントＣの機器番号Ａ１１−Ｆ１０１に対して、同じ機器であることを特定可能な一意の識別番号ＭＯ−０００１が格納されていることを示す。また、この他にも、当該プラントの機器番号Ａ０１−Ｆ００２およびリファレンスプラントＣの機器番号Ａ１１−Ｆ１０２についても、識別番号ＭＯ−０００２などが格納されている。
【００９５】
リファレンスプラント情報部１９は、このＵＩＤの付番を、当該プラントの機器番号とリファレンスプラントの機器番号とに対し、プラントに依存しない機器個別（機器を特定可能）の認識番号として対応付けている。さらに、このＵＩＤの付番に対し、他のリファレンスプラント情報を追加していくことで、プラント固有の機器番号に依存しないＵＩＤ付番表２８１を生成することができる。
【００９６】
図１０に、ＵＩＤ対応プラント情報表２９１の一例を示す。
【００９７】
図１０のＵＩＤ対応プラント情報表２９１に示すように、リファレンスプラント情報部１９は、ＵＩＤとプラントの組み合わせによる、プラント固有の上流設計情報と制御設計情報４とを提供（出力）することできる。例えば、ＵＩＤのＭＯ−０００１とリファレンスプラントＡとの組み合わせでは、上流設計情報として機器名称であるＢ装置バイパス弁など、制御設計情報４として自己保持回路無し、という情報を提供することができる。
【００９８】
第４の実施形態によれば、ＵＩＤをプラントに依存しない機器個別の認識番号として対応付けて、設計対象プラントとリファレンスプラントとの制御設計情報をプラント固有の機器番号に依存しないＵＩＤ付番表として生成することができる。これにより、リファレンスプラント情報を探し出して比較する時間を削減することができる。また、複数のプラント情報を効率的に一括管理することができる。
【００９９】
［第５の実施形態］
図１１は、第５の実施形態に係るデータ管理装置の構成を示すブロック図である。
【０１００】
第５の実施形態のデータ管理装置１ｅは、図１１に示すように、上流設計情報管理部１１、上流設計情報抽出部１２、制御設計情報管理部１３、制御設計図書作成部１４、下流設計情報部１５および上流下流間設計情報管理部１０ｅを備えている。さらに、上流下流間設計情報管理部１０ｅは、製品情報管理部２０を有している。
【０１０１】
図１１に示すデータ管理装置１ｅの構成において、図１に示すデータ管理装置１ａの構成と異なる点は、上流下流間設計情報管理部１０ｅが変更物量管理部１７に代えて製品情報管理部２０を有する点である。
【０１０２】
上流設計情報管理部１１は、上流設計図書情報に基づいて、機器リストの機器名称と機器番号とを製品情報管理部２０へ出力する。
【０１０３】
製品情報管理部２０は、上流設計の所定の基準（環境指令）による下流設計の基準への適合度を管理する。このために、製品情報管理部２０は、プラント設計に関する製品情報を入力し、プラント設計について所定の検査基準に定められた項目および当該項目に関連する基準値を含む製品判定情報を予め登録（記憶）している。
【０１０４】
製品情報管理部２０は、登録された製品判定情報に基づいて、管理する製品情報に含まれる製品について所定の検査基準を判定し、当該判定した結果を出力する。
【０１０５】
製品情報管理部２０に対し、上流設計担当が上流製品情報８Ａ（例えば、弁に含まれる物質の重量比）を入力し、下流設計担当が制御設計製品を含んだ下流製品（例えば、基板やリレー）の機器名称と機器番号および下流製品情報８Ｂ（例えば、計装品に含まれる物質の重量比）を入力する。
【０１０６】
製品情報管理部２０は、例えば予め登録された環境指令（例えば、ＲｏＨＳ指令）の対象物質と基準値などの項目を含む製品判定情報に基づいて、製品情報管理部２０に入力された製品情報（上流製品情報８Ａおよび下流製品情報８Ｂ）の物質の重量比と比較する。製品情報管理部２０は、この比較により、当該環境指令に適合しているか否かを判定し、この判定した結果（合否判定）を判定対応表２１２に格納する。
【０１０７】
図１２に、製品情報管理部２０が用いる判定対応表２１２の一例を示す。
【０１０８】
図１２に示す判定対応表２１２には、製品名および機器番号ごとに、製品情報管理部２０に入力された製品情報の物質の重量比などの環境指令の項目に対するデータ（製品判定情報の一例）が入力され、製品情報管理部２０による環境指令に対する合否判定が格納される。
【０１０９】
例えば、図１２に示す判定対応表２１２では、予め登録する環境指令をＲｏＨＳ指令としているため、ＲｏＨＳ指令対象物質と、その基準値を含む製品判定情報が予め登録される。上流設計担当が、例えばＲｏＨＳ指令対象物質に対して、上流製品情報８Ａとして入力した製品名「Ｂ装置バイパス弁」および機器番号「Ａ０１−Ｆ００１」の上流製品に含まれる下流製品の物質の重量比（下流製品情報８Ｂ）を入力する。
【０１１０】
これにより、製品情報管理部２０は、上流製品に含まれる下流製品の各物質の重量比と限界値とを比較し、それらの合否判定を行う。例えば、図１２に示す合否判定では、「Ｂ装置バイパス弁」の上流製品に含まれるＲｏＨＳ指令対象物質は、鉛が限界値１０００ｐｐｍに対して５００ｐｐｍ、水銀が限界値１０００ｐｐｍに対して３００ｐｐｍなどであり、全て限界値以下であるため、「○」（合格）とされる。なお、図１２に示す判定対応表２１２では、基準値として、この値を超えると不合格とされる限界値で示される例である。
【０１１１】
第５の実施形態によれば、製品情報を管理し、管理した製品情報について、環境指令の対象物質とその基準値などの製品判定情報と比較することにより、環境指令（検査基準とも記す）に適合しているか否か判定することができる。これにより、環境指令を適用する国への製品の輸出前に、法令遵守されているか否か判断することができ、その判定結果を関連する図書に反映することができる。その結果、その反映された図書に基づいて、製品出荷可否を容易に判断することができる。
【０１１２】
［他の実施形態］
以上、本発明のいくつかの実施形態を説明したが、これらの実施形態は、例として提示したものであり、発明の範囲を限定することは意図していない。例えば、各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１３】
１ａ、１ｂ、１ｃ、１ｄ、１ｅ…データ管理装置、２…上流設計図書、３…下流設計図書、４…制御設計情報、５…制御設計図書、６…インプット状況、７Ａ…リファレンスプラントの上流設計情報、７Ｂ…リファレンスプラントの制御設計情報、８Ａ…上流製品情報、８Ｂ…下流製品情報、１０ａ、１０ｂ、１０ｃ、１０ｄ、１０ｅ…上流下流間設計情報管理部、１１…上流設計情報管理部、１２…上流設計情報抽出部、１３…制御設計情報管理部、１４…制御設計図書作成部、１５…下流設計情報部、１６…確度算出部、１７…変更物量管理部、１８…エンジニアリング費算出部、１９…リファレンスプラント情報部、２０…製品情報管理部、２２１…変更物量対応表、２５１…エンジニアリング費算出表、２７１…確度算出表、２８１…ＵＩＤ付番表、２９１…ＵＩＤ対応プラント情報表、２１２…判定対応表
【図１】
2015032121.tif 000003
【図２】
2015032121.tif 000004
【図３】
2015032121.tif 000005
【図４】
2015032121.tif 000006
【図５】
2015032121.tif 000007
【図６】
2015032121.tif 000008
【図７】
2015032121.tif 000009
【図８】
2015032121.tif 000010
【図９】
2015032121.tif 000011
【図１０】
2015032121.tif 000012
【図１１】
2015032121.tif 000013
【図１２】
2015032121.tif 000014